(57)【要約】【課題】指定色がガマット外の色又はガマット内の境界近傍の色である場合において、指定色の調整作業に要する時間を短縮できる画像処理装置、画像処理方法及びプログラムを提供する。【解決手段】指定色の測色値（Ｌ*0，ａ*0，ｂ*0）を基準色として設定するカラーチャート条件設定部８４を有し、画像データ生成部６２は、カラーチャート条件設定部８４により設定された基準色（Ｌ*0，ａ*0，ｂ*0）を中心として各カラーパッチ３６をメディア３２上に二次元的に形成するように、且つ、同一行又は列内において隣接する各カラーパッチ３６同士の均等色空間上の色差が略等間隔（ΔＬ*，Δａ*，Δｂ*）になるように計算された画素値からなる画像データを生成する。【選択図】図８
2011061519.tif 000002
【特許請求の範囲】
【請求項１】
複数の色のカラーパッチを備えるカラーチャートを印刷媒体上に印刷するための画像データを生成する画像データ生成部と、前記画像データに基づいて印刷された前記カラーチャートの中から指定色に最も近い色として選択されたカラーパッチの識別情報を入力する入力部と、該入力部により入力された前記識別情報に基づいて印刷物の色調整を行う色変換処理部とを有する画像処理装置であって、
前記指定色の測色値を基準色として設定する設定部を有し、
前記画像データ生成部は、前記設定部により設定された前記基準色を中心として各カラーパッチを前記印刷媒体上に二次元的に形成するように、且つ、同一行又は列内において隣接する前記各カラーパッチ同士の均等色空間上の色差が略等間隔になるように計算された画素値からなる画像データを生成する
ことを特徴とする画像処理装置。
【請求項２】
請求項１記載の画像処理装置であって、
前記入力部は、印刷された前記各カラーパッチの色の範囲内に前記指定色が存在するか否かについての判断結果をさらに入力し、
前記設定部は、前記入力部により入力された前記判断結果又は前記識別情報に基づいて前記基準色を再設定する
ことを特徴とする画像処理装置。
【請求項３】
請求項２記載の画像処理装置であって、
前記設定部は、前記入力部により前記指定色が存在する旨の前記判断結果と前記識別情報とが入力されたとき該識別情報に対応する色を前記基準色として再設定する
ことを特徴とする画像処理装置。
【請求項４】
請求項２又は３に記載の画像処理装置であって、
前記設定部は、前記色差の間隔をさらに設定し、前記入力部により前記指定色が存在する旨の前記判断結果が入力されたとき前記色差の間隔をさらに小さく再設定する
ことを特徴とする画像処理装置。
【請求項５】
請求項２又は３に記載の画像処理装置であって、
前記設定部は、前記色差の間隔をさらに設定し、前記画像データ生成部により生成される前記画像データが有する前記各カラーパッチの前記画素値がすべて前記印刷物のガマットの範囲内の色になるように前記基準色又は前記色差の間隔を再設定する
ことを特徴とする画像処理装置。
【請求項６】
請求項１〜５のいずれか１項に記載の画像処理装置であって、
前記画像データ生成部は、前記各カラーパッチに対応する前記均等色空間上の色が前記印刷物に係るガマットの範囲外の色であるとき、前記各カラーパッチに識別印を付した前記画像データを生成する
ことを特徴とする画像処理装置。
【請求項７】
請求項１〜６のいずれか１項に記載の画像処理装置であって、
前記画像データ生成部は、前記各カラーパッチに対応する前記均等色空間上の色が前記印刷物に係るガマットの範囲内の色であって該ガマットの境界の近傍色であるとき、前記各カラーパッチに識別印を付した前記画像データを生成する
ことを特徴とする画像処理装置。
【請求項８】
請求項１〜７のいずれか１項に記載の画像処理装置であって、
前記画像データ生成部は、取得された前記カラーパッチの測色値に基づいて前記画像データの画素値を補正する
ことを特徴とする画像処理装置。
【請求項９】
複数の色のカラーパッチを備えるカラーチャートを印刷媒体上に印刷し、前記カラーチャートの中から指定色に最も近い色のカラーパッチを選択し、選択された前記カラーパッチの色情報に基づいて印刷物の色調整を行う画像処理方法であって、
前記指定色の測色値を基準色として設定するステップと、
設定された前記基準色を中心として各カラーパッチを前記印刷媒体上に二次元的に形成するように、且つ、同一行又は列内において隣接する前記各カラーパッチ同士の均等色空間上の色差が略等間隔になるように計算された画素値からなる画像データを生成するステップと
を備えることを特徴とする画像処理方法。
【請求項１０】
印刷物の色調整を行う画像処理を施すためにコンピュータを、
指定色の測色値を基準色として設定する手段、
設定された前記基準色を中心として複数の色のカラーパッチを印刷媒体上に二次元的に形成するように、且つ、同一行又は列内において隣接する前記各カラーパッチ同士の均等色空間上の色差が略等間隔になるように計算された画素値からなる画像データを生成する手段、
前記画像データに基づき前記印刷媒体上にカラーチャートを印刷する手段、
前記カラーチャートの中から前記指定色に最も近い色として選択されたカラーパッチの識別色情報に基づいて前記印刷物の色調整を行う手段
として機能させるためのプログラム。
【発明の詳細な説明】
【技術分野】
【０００１】
本発明は、複数の色のカラーパッチを備えるカラーチャートを印刷媒体上に印刷するための画像データを生成し、該画像データに基づいて印刷された前記カラーチャートの中から指定色に最も近い色として選択されたカラーパッチの識別情報を入力し、該識別情報に基づいて印刷物の色調整を行う画像処理装置、画像処理方法及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、ユポ・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。これらのカラーマッチング技術は、インクジェット方式の印刷機に限られず、電子写真、感熱方式等を含むデジタルプリンタ全般及びその周辺機器に横断的に適用できるものである。
【０００５】
上述の「指定色の調整方法」とは、画像全体のカラーバランスを維持しつつ、カラーチップの色見本等により指定された色（指定色）と略一致するように前記画像の注目部分の色を微調整する方法であり、これに関する種々の方法が開示されている。
【０００６】
例えば、特許文献１には、表示装置上に表示した指定色と、印刷機から印刷される色との色感を一致させるための方法が開示されている。具体的には、表示装置上に表示色の変更が自在な表示窓と、表示された指定色に近いと考えられて印刷された２７色のカラーチャートが開示されている（特許文献１の図４及び図５参照）。
【０００７】
このように構成されているので、作業者は、指定色が前記表示窓に表示されるように設定し、印刷機からカラーチャートが印刷されるように印刷ボタンを押し、このカラーチャートの２７色の中から指定色に最も近い色を選択し、その色の番号を画面を介して入力することにより、表示装置上に表示した指定色と、印刷機から印刷される色との色感を厳密に近似させることができる旨が記載されている。
【０００８】
なお、２７色のカラーチャートの中央である１４番目の色は、指定色に相当するＣＭＹ値の色であり、他の色は、Ｃ、Ｍ、Ｙの成分が微小量ΔＣ、ΔＭ、ΔＹずつ異なる色となるように設けられている（特許文献１の図７参照）。
【先行技術文献】
【特許文献】
【０００９】
【特許文献１】特開２０００−２１７００７号公報
【発明の概要】
【発明が解決しようとする課題】
【００１０】
ところで、カラー画像の形成に用いるインクの色や数に応じて、印刷機による色再現可能な領域、すなわちガマットが画定される。
【００１１】
例えば、ＣＭＹＫの色（いわゆるプロセスカラー）のインクのみで構成され、指定色やその近似色のオプションインクを搭載できない印刷機では、ＣＭＹＫの掛け合わせで指定色を色再現する必要がある。このとき、プロファイルを用いたカラーマッチング処理を行っても、色合わせが効率的に行えない場合が多い。
【００１２】
例えば、その指定色がガマットの範囲外（以下、「ガマット外」という場合がある。）の色であることを作業者が認識していない場合、カラーチャートの印刷及び視認作業を何度繰り返しても指定色と同色のカラーパッチを見付けることができず徒労に終わる。
【００１３】
また、その指定色がガマットの範囲内（以下、「ガマット内」という場合がある。）であっても境界近傍の色である場合、ＣＭＹＫ値に対する印刷色の予測が困難になる傾向があるので、作業者の長年の勘に頼らざるを得ない。よって、この調整作業についての経験が浅い作業者では、色の合わせ込み作業が難航するとともに、最適な色選択ができない可能性がある。
【００１４】
特許文献１に開示された方法によっても、指定色がガマットの外の色又はガマット内の境界近傍の色である場合、指定色の調整作業に要する時間が長くなるという問題が生じる。
【００１５】
本発明は上記した問題を解決するためになされたもので、指定色がガマット外の色又はガマット内の境界近傍の色である場合において、指定色の調整作業に要する時間を短縮できる画像処理装置、画像処理方法及びプログラムを提供することを目的とする。
【課題を解決するための手段】
【００１６】
本発明は、複数の色のカラーパッチを備えるカラーチャートを印刷媒体上に印刷するための画像データを生成する画像データ生成部と、前記画像データに基づいて印刷された前記カラーチャートの中から指定色に最も近い色として選択されたカラーパッチの識別情報を入力する入力部と、該入力部により入力された前記識別情報に基づいて印刷物の色調整を行う色変換処理部とを有する画像処理装置に関するものである。
【００１７】
そして、前記指定色の測色値を基準色として設定する設定部を有し、前記画像データ生成部は、前記設定部により設定された前記基準色を中心として各カラーパッチを前記印刷媒体上に二次元的に形成するように、且つ、同一行又は列内において隣接する前記各カラーパッチ同士の均等色空間上の色差が略等間隔になるように計算された画素値からなる画像データを生成する。
【００１８】
このように構成しているので、作業者がカラーチャートを観察する際にカラーパッチの色の変化が略等間隔で視認されるため、指定色がガマット外の色又はガマット内の境界近傍の色であっても色の傾向を感覚的に把握可能となり、指定色の作業調整に要する時間を短縮できる。
【００１９】
また、前記入力部は、印刷された前記各カラーパッチの色の範囲内に前記指定色が存在するか否かについての判断結果をさらに入力し、前記設定部は、前記入力部により入力された前記判断結果又は前記識別情報に基づいて前記基準色を再設定することが好ましい。
【００２０】
このように構成しているので、指定色がガマット外の色又はガマット内の境界近傍の色である場合、カラーチャートの中に指定色が存在するか否かの判断に基づいて次の基準色を決定するので、指定色に迅速に到達できる。
【００２１】
さらに、前記設定部は、前記入力部により前記指定色が存在する旨の前記判断結果と前記識別情報とが入力されたとき該識別情報に対応する色を前記基準色として再設定することが好ましい。
【００２２】
さらにまた、前記色差の間隔をさらに設定し、前記入力部により前記指定色が存在する旨の前記判断結果が入力されたとき前記色差の間隔をさらに小さく再設定することが好ましい。
【００２３】
このように構成しているので、指定色の存在が確認できた色範囲内において検索範囲を更に絞り込み、カラーパッチ毎の色度分解能を向上させることにより、指定色の調整を精度良く行うことができる。
【００２４】
さらにまた、前記画像データ生成部により生成される前記画像データが有する前記各カラーパッチの前記画素値がすべて前記印刷物のガマットの範囲内の色になるように前記基準色又は前記色差の間隔を再設定することが好ましい。
【００２５】
このように構成しているので、すべてのカラーパッチがガマットの範囲内の色になり選択可能なカラーパッチの数が増加するので効率的である。
【００２６】
さらに、前記画像データ生成部は、前記各カラーパッチに対応する前記均等色空間上の色が前記印刷物に係るガマットの範囲外の色であるとき、前記カラーパッチに識別印を付した前記画像データを生成することが好ましい。
【００２７】
さらにまた、前記各カラーパッチに対応する前記均等色空間上の色が前記印刷物に係るガマットの範囲内の色であって該ガマットの境界の近傍色であるとき、前記各カラーパッチに識別印を付した前記画像データを生成することが好ましい。
【００２８】
このように構成しているので、各カラーパッチのガマットに対する属否情報や、指定色がガマット境界近傍の色であることを作業者に容易に知らせることができる。
【００２９】
さらに、取得された前記カラーパッチの測色値に基づいて前記画像データの画素値を補正することが好ましい。
【００３０】
このように構成しているので、各カラーパッチの設計された測色値と実測された測色値との間のずれを補正可能となり、カラーチャート上で指定色を一層見付け易くすることができる。
【００３１】
また、本発明は、複数の色のカラーパッチを備えるカラーチャートを印刷媒体上に印刷し、前記カラーチャートの中から指定色に最も近い色のカラーパッチを選択し、選択された前記カラーパッチの色情報に基づいて印刷物の色調整を行う画像処理方法に関する。そして、前記指定色の測色値を基準色として設定するステップと、設定された前記基準色を中心として各カラーパッチを前記印刷媒体上に二次元的に形成するように、且つ、同一行又は列内において隣接する前記各カラーパッチ同士の均等色空間上の色差が略等間隔になるように計算された画素値からなる画像データを生成するステップとを備える。
【００３２】
さらに、本発明は、印刷物の色調整を行う画像処理を施すためにコンピュータを、指定色の測色値を基準色として設定する手段、設定された前記基準色を中心として複数の色のカラーパッチを印刷媒体上に二次元的に形成するように、且つ、同一行又は列内において隣接する前記各カラーパッチ同士の均等色空間上の色差が略等間隔になるように計算された画素値からなる画像データを生成する手段、前記画像データに基づき前記印刷媒体上にカラーチャートを印刷する手段、前記カラーチャートの中から前記指定色に最も近い色として選択されたカラーパッチの識別色情報に基づいて前記印刷物の色調整を行う手段として機能させるためのプログラムに関する。
【発明の効果】
【００３３】
本発明に係る画像処理装置、画像処理方法及びプログラムによれば、指定色の測色値を基準色として設定し、設定された前記基準色を中心として各カラーパッチを印刷媒体上に二次元的に形成するように、且つ、同一行又は列内において隣接する前記各カラーパッチ同士の均等色空間上の色差が略等間隔になるように計算された画素値からなる画像データを生成するようにしたので、作業者がカラーチャートを観察する際にカラーパッチの色の変化が略等間隔で視認されるため、指定色がガマット外の色又はガマット内の境界近傍の色であっても色の傾向を感覚的に把握可能となり、指定色の作業調整に要する時間を短縮できる。
【図面の簡単な説明】
【００３４】
【図１】本実施形態に係る画像処理装置が組み込まれた印刷システムの斜視説明図である。
【図２】図２Ａ及び図２Ｂは、本実施形態に係る指定色調整用カラーチャートの概略正面図である。
【図３】本実施形態に係る画像処理装置の機能ブロック図である。
【図４】本実施形態に係る指定色の調整のための設定画面の一例を示す図である。
【図５】本実施形態に係る印刷システムを用いて適切な印刷物を得るためのフローチャートである。
【図６】本実施形態に係るプロファイル変更方法に関するフローチャートである。
【図７】本実施形態に係る測色値のずれを補正する方法に関するフローチャートである。
【図８】本実施形態に係る指定色調整用カラーチャートが形成する提示領域を表す説明図である。
【図９】図９Ａ及び図９Ｂは、測色値の補正前後における基準色及び提示領域の位置関係を表す説明図である。
【図１０】本実施形態に係る指定色調整用カラーチャートを用いた指定色の調整方法に関するフローチャートである。
【図１１】図１１Ａ及び図１１Ｂは、指定色がカラーチャートの提示領域内に存在する場合における次の基準色及び提示領域の設定を表す説明図である。
【図１２】図１２Ａ及び図１２Ｂは、指定色がカラーチャートの提示領域内に存在しない場合における次の基準色及び提示領域の設定を表す説明図である。
【図１３】本実施形態に係る指定色調整用カラーチャートが形成する次の提示領域を表す説明図である。
【発明を実施するための形態】
【００３５】
以下、本発明に係る画像処理方法についてそれを実施する画像処理装置並びに印刷システムとの関係において好適な実施形態を挙げ、添付の図面を参照しながら詳細に説明する。
【００３６】
図１は、本実施の形態に係る画像処理装置１６が組み込まれた印刷システム１０の斜視説明図である。
【００３７】
印刷システム１０は、ＬＡＮ１２と、編集装置１４と、画像処理装置１６と、印刷機１８と、測色計２０とを基本的に備える。
【００３８】
ＬＡＮ１２は、イーサネット（登録商標）等の通信規格に基づいて構築されているネットワークである。編集装置１４と画像処理装置１６とは、前記ＬＡＮ１２を介して有線又は無線により相互に接続されている。
【００３９】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００４０】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００４１】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００４２】
画像処理装置１６は、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００４３】
また、画像処理装置１６は、ＣＰＵ・メモリ等を有する本体２２と、カラー画像を表示する表示装置２４と、入力部としての入力装置２６（キーボード２８及びマウス３０）を備えており、さらに測色計２０が接続されている。
【００４４】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３２（図１では、ロール状の未印刷のメディア３２）上にカラー画像を印刷し、印刷物３４（指定色調整用カラーチャート３４ｃが含まれる。）を形成する。
【００４５】
メディア３２の基材には、ユポ・厚紙・アルミ蒸着紙等の紙類、塩化ビニル・ＰＥＴ等の樹脂やターポリン等を用いることができる。
【００４６】
測色計２０は、測定対象物の測色値を測定する。ここで測色値とは、三刺激値ＸＹＺ、均等色空間の座標値Ｌ*ａ*ｂ*等のみならず、波長に対する光学物理値の特性、例えば、分光放射分布、分光感度分布、分光反射率又は分光透過率が含まれる。
【００４７】
図２Ａ及び図２Ｂは、指定色調整用カラーチャート３４ｃの概略正面図である。
【００４８】
図２Ａに示す指定色調整用カラーチャート３４ｃは、メディア３２上に印刷された、色の異なる４９個の略同形状のカラーパッチ３６と、該カラーパッチ３６の行方向及び列方向の配列位置を特定する行番号３８及び列番号４０と、前記指定色調整用カラーチャート３４ｃの印刷条件を識別する情報からなる印刷情報４２とから構成される。
【００４９】
各カラーパッチ３６は、縦方向・横方向ともに７個ずつのカラーパッチ３６が所定間隔の隙間を設けるように配置されている。各カラーパッチ３６の色は、ＣＭＹＫ値の各信号レベルの範囲（百分率では０％〜１００％、８ビット階調である場合は０〜２５５）の所定の値が設定されている。
【００５０】
識別情報としての行番号３８は、上から順番に（＋３）〜（−３）の文字列として、各カラーパッチ３６の左方部にその位置に対応するように設けられている。一方、識別情報としての列番号４０は、左から順番に（−３）〜（＋３）の文字列として、各カラーパッチ３６の上方部にその位置に対応するように設けられている。
【００５１】
印刷情報４２は、指定色調整用カラーチャート３４ｃの下方部に設けられ、Ｌ*、ａ*、ｂ*、Δａ*、及びΔｂ*の値が記載されている。
【００５２】
図２Ｂに示す指定色調整用カラーチャート３４ｃは、図２Ａの指定色調整用カラーチャート３４ｃと同様の外観を有する。ただ、カラーパッチ３６の左方部において、図２Ａに示す１１個のカラーパッチ３６に代替してダブルハッチングで示す黒色パッチ４４が設けられ、１４個のカラーパッチ３６に代替して太枠で示す太枠パッチ４６が設けられている点が異なる。
【００５３】
図３は、本実施形態に係る画像処理装置１６の構成ブロック図である。なお、電子原稿は白抜実線矢印の方向に、カラーチャート用画像データは白抜破線矢印の方向に、その他の各種データは実線矢印の方向にそれぞれ供給されることを表す。
【００５４】
画像処理装置１６の本体２２は、編集装置１４側から供給される電子原稿を入力するＩ／Ｆ５０と、該Ｉ／Ｆ５０を介して供給された電子原稿のＰＤＬ形式をビットマップ形式に展開するＲＩＰ５２（ラスタイメージングプロセッサ）と、該ＲＩＰ５２により展開された電子原稿のＣＭＹＫ値（あるいはＲＧＢ値）に対して所定の色変換処理を施して新たなＣＭＹＫ値の画像データを得る色変換処理部５４と、該色変換処理部５４により色変換されて得られた新たなＣＭＹＫ値の画像データを印刷機１８に適した印刷信号（インク射出制御データ）に変換する印刷機ドライバ５６と、該印刷機ドライバ５６により変換された印刷信号を印刷機１８側に出力するＩ／Ｆ５８とを備える。
【００５５】
また、本体２２は、印刷機１８毎にプロファイルを管理する色管理部６０と、指定色調整用カラーチャート３４ｃ又は図示しないプロファイル用カラーチャートを印刷するための画像データを生成する画像データ生成部６２と、表示装置２４との接続を可能とするＩ／Ｆ６４と、入力装置２６（マウス２８及びキーボード３０）との接続を可能とするＩ／Ｆ６６と、測色計２０との接続を可能とするＩ／Ｆ６８とを備える。
【００５６】
さらに、本体２２は、その内部の各構成要素から供給される各種データを記憶し、あるいは記憶する各種データを各構成要素に供給する記憶部７０を備えている。該記憶部７０は、ＲＩＰ５２と、色変換処理部５４と、色管理部６０と、画像データ生成部６２と、Ｉ／Ｆ６４と、Ｉ／Ｆ６６と、Ｉ／Ｆ６８とにそれぞれ接続されている。
【００５７】
なお、色変換処理部５４は、デバイス依存データからデバイス非依存データに変換する目標プロファイル処理部７２と、デバイス非依存データからデバイス依存データに変換するする印刷プロファイル処理部７４とを備える。ここで、デバイス依存データとは、各種デバイスを適切に駆動するためのＣＭＹＫ値、ＲＧＢ値等で定義されるデータである。また、デバイス非依存データとは、ＨＳＬ、ＨＳＢ、ＣＩＥＬＡＢ座標系、ＣＩＥＬＵＶ座標系、ＸＹＺ等の表色系で定義されるデータである。
【００５８】
また、画像データ生成部６２は、指定色調整用カラーチャートを印刷するための画像データを生成する指定色調整用データ生成部７６と、プロファイル用カラーチャートを印刷するための画像データを生成するプロファイル用データ生成部７８とを備える。
【００５９】
さらに、色管理部６０は、印刷機１８毎にプロファイルを生成するプロファイル生成部８０と、印刷機１８毎に指定色を管理する指定色管理部８２とを備える。さらにまた、指定色管理部８２は、後述するカラーチャート条件（基準色及び色差間隔）を設定するカラーチャート条件設定部８４（設定部）と、測色値のずれを補正する色ずれ補正部８６とから構成される。
【００６０】
さらに、ＲＩＰ５２は、電子原稿のビットマップ形式化の際に、印刷機１８の解像度等に対応した画像拡縮処理や、印刷フォーマットに対応した回転・反転処理等の種々の画像処理を行うことができる。
【００６１】
さらに、印刷機ドライバ５６は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００６２】
さらに、目標プロファイル処理部７２又は印刷プロファイル処理部７４は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００６３】
さらに、ＣＰＵ等で構成される制御部（不図示）は、この画像処理に関するすべての制御を行う。すなわち、本体２２内部の各構成要素の制御（例えば、記憶部７０のデータ読出し・書込み）のみならず、Ｉ／Ｆ６４を介して表示装置２４に表示信号を送信する制御や、Ｉ／Ｆ６８を介して測色計２０から測色データを取得する制御等も含まれる。
【００６４】
本実施形態の画像処理装置１６は以上のように構成され、上述した各画像処理機能は、基本プログラム（オペレーティングシステム）上で動作する応用プログラムを用いて実現することができる。
【００６５】
図４は、本実施形態に係る指定色の調整のための設定画面の一例を示す図である。
【００６６】
設定画面１００の左方部には、二次元的に配列された４９個のラジオボタン１０２と、その外周に設けられた数字列１０４と、さらにその外周に設けられた８個の矢印１０６と、各矢印１０６の先端部にそれぞれ１個ずつ設けられた８個のラジオボタン１０８とを備える。
【００６７】
設定画面１００の右方上部には、縦方向に３個のラジオボタン１１０と、横方向に３個のラジオボタン１１２とがそれぞれ並設されており、その縦方向（横方向）に設けたラジオボタンの左方（上方）に、Ｌ*、ａ*、ｂ*の順番に文字列が付されている。
【００６８】
設定画面１００の右方中央部には、列方向に２つの表示欄１１４、１１６が設けられている。表示欄１１４にはＬ*、ａ*、ｂ*の測色値が表示され、表示欄１１６にはΔＬ*、Δａ*、Δｂ*の測色値が表示されている。
【００６９】
設定画面１００の右方下部には、左側から順番に、［次の印刷］、［確定］、［中止］と表示されたボタン１１８、１２０、１２２がそれぞれ設けられている。
【００７０】
この実施形態に係る印刷システム１０は、基本的には以上のように構成されるものであり、次にその動作について説明する。
【００７１】
図５は、本実施形態に係る印刷システム１０を用いて適切な印刷物３４を得るためのフローチャートである。主に図１を参照しながら説明する。
【００７２】
先ず、作業者は、形成しようとする印刷物３４に関する印刷条件やその観察態様を調査する（ステップＳ１）。ここで、印刷条件とは、印刷に使用する印刷機１８の種類、メディア３２の種類や前述した印刷モード等である。また、観察態様とは、印刷物３４の観察光源の種類や印刷物３４の掲示態様（反射、透過、又はその混合）等である。
【００７３】
次いで、作業者は、印刷機１８に適切なプロファイルを選定する（ステップＳ２）。通常、目標プロファイル又は印刷プロファイルは、本体２２の記憶部７０に保存されている。印刷機１８に適切なプロファイルが登録（図２に示す記憶部７０に記憶）されていない場合は、印刷プロファイルを別途生成することができる。
【００７４】
次いで、印刷機１８を用いて電子原稿を印刷し、印刷物３４を得る（ステップＳ３）。ここで、図示しないラミネート処理装置を用いて印刷物３４にラミネート処理を施し、その画像形成面上に保護膜を設けてもよい。そうすれば、画像の擦過性・堅牢性を向上させることができる。
【００７５】
次いで、印刷物３４の画像の色を評価し（ステップＳ４）、画像の色が適切か否かを判断する（ステップＳ５）。所望の色合いが得られたか否かについての評価方法としては、画像の全体的外観又は部分的外観に着目し、作業者等の目視により良否を判断する方法、あるいは、測色計２０を用いて印刷物３４の所定の箇所を測色し、その値が所望の範囲内に収まるか否かで判断する方法等を用いることができる。
【００７６】
特に、本実施形態では、カラー画像の所定の箇所に対して指定色（色見本の現物等）が指定されており、当該箇所の色と前記指定色とが略同色であるか否かで判断される。
【００７７】
この画像評価の結果、印刷物３４の画像が適切でないと判断された場合は、プロファイルの変更を行うことにより色の微調整を行う（ステップＳ６）。この具体的方法としては、プロファイルの再設定・再生成や、プロファイルの微調整（現在設定されているプロファイルの補正）等が挙げられる。
【００７８】
以下、印刷と評価を繰り返すことにより（ステップＳ３〜Ｓ６）、所望の色の印刷物３４が得られる。
【００７９】
ここで、プロファイルの生成（ステップＳ２）の際の、画像処理装置１６による画像処理の流れについて、図３を参照しながら詳細に説明する。
【００８０】
記憶部７０により記憶された所定のＣＭＹＫ値データに基づいて、プロファイル用データ生成部７８により生成された画像データは、図３に示すように矢印Ｒ１の経路から印刷機ドライバ５６に供給され、電子原稿の印刷と同様の動作により印刷機１８側に供給される。このようにして得られた図示しないプロファイル用カラーチャートの各カラーパッチを、画像処理装置１６に接続された測色計２０を用いて測色し、Ｌ*ａ*ｂ*の測色値を取得する。この測色値のデータは記憶部７０に一旦記憶される。その後、指定されたＣＭＹＫ値と得られたＬ*ａ*ｂ*との対応関係に基づいて３次元−４次元変換ＬＵＴをデータとして含む印刷プロファイルを生成することができる。
【００８１】
また、電子原稿の印刷（ステップＳ３）の際の、画像処理装置１６による画像処理の流れについて、図３を参照しながら詳細に説明する。
【００８２】
編集装置１４から供給された電子原稿（ＰＤＬ形式）が、ＬＡＮ１２及びＩ／Ｆ５０を介して画像処理装置１６に入力されると、前記電子原稿は、ＲＩＰ５２によりそれぞれ８ビットのＣＭＹＫビットマップ形式（デバイス依存の画像データ）に展開され、目標プロファイル処理部７２によりＬ*ａ*ｂ*（デバイス非依存の画像データ）に変換され、印刷プロファイル処理部７４によりＣＭＹＫ値（デバイス依存の画像データ）に変換され、印刷機ドライバ５６により印刷信号（すなわち、インク射出制御データ）に変換され、Ｉ／Ｆ５８を介して印刷機１８に供給される。その後、印刷機１８により所望の印刷物３４が印刷される。
【００８３】
このとき、複数の設定条件に対応する目標プロファイル及び印刷プロファイルが予め記憶部７０に記憶されているので、予め設定された各種条件に応じて選択的に目標プロファイル及び印刷プロファイルが目標プロファイル処理部７２及び印刷プロファイル処理部７４に供給される。ここで、各プロファイルに対して印刷機１８の印字モード等を加味した補正を適宜行うように構成すれば、さらに適切な色変換処理を行うことができる。
【００８４】
以上、本実施形態に係る印刷システム１０を用いて適切な印刷物３４を得るためのフローチャートについて説明した。次いで、プロファイルの変更方法について更に詳細に説明する。
【００８５】
プロファイルの変更（図５のステップＳ６参照）は、図６に示すフローチャートの通り、測色値のずれを補正し（ステップＳ６１）、指定色調整用カラーチャート３４ｃを用いた指定色の調整を行う（ステップＳ６２）ことにより実現される。なお、ステップＳ６１は、既に生成した適切なプロファイルを用いてもなお生じる印刷色の僅かなずれを事前に補正するステップである。
【００８６】
第一に、測色値のずれを補正する方法（ステップＳ６１）について、図７に示すフローチャートを参照しながら説明する。
【００８７】
先ず、図２Ａに示す指定色調整用カラーチャート３４ｃを印刷する（ステップＳ６１１）。このとき、画像データ生成部６２の中の指定色調整用データ生成部７６（図３参照）により、画像データが生成される。色の異なる複数のカラーパッチ３６を二次元的に配置する際の色の決定方法の一つとして、均等色空間ＣＩＥＬＡＢ系の３つの変数（Ｌ*，ａ*，ｂ*）のうち、１つの変数（例えば、Ｌ*）を固定し、他の２つの変数（例えば、ａ*ｂ*）についてカラーパッチ３６の位置毎に徐々に変化させる方法が考えられる。具体的には、各カラーパッチ３６に対応する画素値を、（１）〜（３）式のように決定することができる。
Ｌ*i＝Ｌ*0＋ΔＬ*×ｉ  （ｉ＝−３，−２，……，＋２，＋３）  …（１）
ａ*j＝ａ*0＋Δａ*×ｊ  （ｊ＝−３，−２，……，＋２，＋３）  …（２）
ｂ*k＝ｂ*0＋Δｂ*×ｋ  （ｋ＝−３，−２，……，＋２，＋３）  …（３）
なお、以下の説明において、（Ｌ*0，ａ*0，ｂ*0）からなる色を基準色、（ΔＬ*，Δａ*，Δｂ*）を色差間隔と呼ぶことにする。
【００８８】
さらに、指定色調整用カラーチャート３４ｃが有する各カラーパッチ３６により形成される色領域のことを「提示領域」と呼ぶことにする。
【００８９】
図８は、本実施形態に係る指定色調整用カラーチャート３４ｃの提示領域２０１を表す説明図である。Ｌ*を固定した場合において、ａ*−ｂ*平面上に形成されている六角形の領域は、印刷機１８のガマット２００である。例えば、上述の（２）式及び（３）式で示される数式に従って各カラーパッチ３６の色をプロットすると、各点は略等間隔に配置される。この場合の提示領域２０１は、（ａ*0＋３Δａ*，ｂ*0＋３Δｂ*）、（ａ*0＋３Δａ*，ｂ*0−３Δｂ*）、（ａ*0−３Δａ*，ｂ*0＋３Δｂ*）、（ａ*0−３Δａ*，ｂ*0−３Δｂ*）の４点で形成される矩形領域に相当する。
【００９０】
なお、提示領域２０１の形状は矩形に限られず、菱形であってもよい。さらに、提示領域２０１は、均等色空間が形成する平面（Ｌ*−ａ*平面，ａ*−ｂ*平面，又はＬ*−ｂ*平面）と常に平行関係である必要はなく、カラーパッチ３６の位置毎に３変数を徐々に変化させるようにしてもよい。
【００９１】
このように、カラーパッチ３６の中央位置に、すなわち、図２Ａの行番号３８の行方向が（０）且つ列番号４０の列方向が（０）の位置に、基準色のカラーパッチ３６が配置され、同一行又は列内において隣接するカラーパッチ３６同士の色差が略等間隔になるように画像データが生成される。
【００９２】
この基準色及び色差間隔は、カラーチャート条件設定部８４により予め設定され記憶部７０に記憶されているデータを読み出して用いることができる。
【００９３】
指定色調整用データ生成部７６により生成された画像データは、図３に示すように矢印Ｒ２の経路から印刷プロファイル処理部７４に供給され、電子原稿の印刷と同様の動作により印刷機１８側に供給される。このようにして得られた指定色調整用カラーチャート３４ｃ（図２Ａ参照）の各カラーパッチ３６は、予め設計した色（Ｌ*，ａ*，ｂ*）を略再現する。
【００９４】
次いで、印刷された指定色調整用カラーチャート３４ｃのうち代表的なカラーパッチを選択し、測色計２０を用いて測色する（ステップＳ６１２）。例えば、所定のカラーパッチ３６における色の設計値（Ｌ*（ｄｅｓ），ａ*（ｄｅｓ），ｂ*（ｄｅｓ））に対して、実測値（Ｌ*（ｍｅａｓ），ａ*（ｍｅａｓ），ｂ*（ｍｅａｓ））が得られる。
【００９５】
例えば、図９Ａに示すように、印刷機１８のガマット２００の範囲内にある基準色２０２（設計値）に対して、基準色２０４（実測値）が得られたとする。
【００９６】
次いで、作業者は、表示装置２４により表示される図示しない設定画面から、測色結果についての設定の保存を行う（ステップＳ６１３）。すると、色ずれ補正部８６は、画像データの画素値として設計（指定）された測色値と、現に測色計２０で得られた測色値とに基づいて補正量を算出する。例えば、補正量Ｌ*（ｄｉｆｆ）、ａ*（ｄｉｆｆ）、ｂ*（ｄｉｆｆ）を（４）〜（６）式のように算出することができる。
Ｌ*（ｄｉｆｆ）＝Ｌ*（ｍｅａｓ）−Ｌ*（ｄｅｓ）            …（４）
ａ*（ｄｉｆｆ）＝ａ*（ｍｅａｓ）−ａ*（ｄｅｓ）            …（５）
ｂ*（ｄｉｆｆ）＝ｂ*（ｍｅａｓ）−ｂ*（ｄｅｓ）            …（６）
【００９７】
このように、画像データを生成する際、各色の設計値に補正量Ｌ*（ｄｉｆｆ）、ａ*（ｄｉｆｆ）、ｂ*（ｄｉｆｆ）を加算することにより、印刷色の僅かな色ずれが補正可能であり、色再現精度を更に向上させることができる。
【００９８】
具体的には、図９Ｂに示すように、印刷物３４の測色値のずれを補正しない場合は、破線で示される提示領域（設計値）２０６と実線で示される提示領域（実測値）２０８との間に乖離が生じるので、後述する指定色の調整（ステップＳ６２）が困難な場合がある。そこで、この補正を施すことにより、提示領域２０６と提示領域２０８とが一致するようになるので、目論見通りの指定色の調整を行うことができる。
【００９９】
なお、補正量Ｌ*（ｄｉｆｆ）、ａ*（ｄｉｆｆ）、ｂ*（ｄｉｆｆ）は、指定色管理部８２内の色ずれ補正部８６により一時的に管理され、プロファイルの変更時においてこの補正量を考慮する。このようにして、印刷物３４の測色値のずれを補正することができる。
【０１００】
第二に、指定色調整用カラーチャート３４ｃを用いた指定色の調整方法（ステップＳ６２）について、図１０に示すフローチャートを参照しながら説明する。
【０１０１】
先ず、指定色調整用カラーチャート３４ｃの基準色及び色差間隔の初期設定を行う（ステップＳ６２１）。これらの値は、カラーチャート条件設定部８４（図３参照）により設定が自在である。
【０１０２】
例えば、基準色（Ｌ*0，ａ*0，ｂ*0）の初期値に関しては、カラーチップ等の色見本の色番号に対応した測色値を取得しその値を用いることができる。その取得方法については、色見本の現物を測色計２０により測色をしてもよいし、色番号と対応付けられた測色値を記憶部７０に予め記憶しておき設定の都度呼び出してもよい。また、初期値の設定には、カラーホイールのようなＧＵＩコントロールから選択できるように構成してもよい。
【０１０３】
さらに、色差間隔（ΔＬ*，Δａ*，Δｂ*）の初期値に関しては、色調整作業の経験則上、適切な値を設けておくことができる。
【０１０４】
次いで、指定色調整用カラーチャート３４ｃを印刷する（ステップＳ６２２）。画像処理装置１６の動作原理について既に説明したので割愛する（図７のステップＳ６１１を参照）。
【０１０５】
なお、図４に示すように、指定色調整用カラーチャート３４ｃの基準色が表示欄１１４に、色差間隔が表示欄１１６にそれぞれ表示されているので、その表示値を参照することができる。
【０１０６】
また、指定色調整用カラーチャート３４ｃ上に二次元的に配列された各カラーパッチ３６は、縦方向に対してａ*が、横方向に対してｂ*が、所定間隔の色差間隔（Δａ*，Δｂ*）でそれぞれ変化するように設定されている。行又は列の変数（Ｌ*，ａ*，ｂ*のうちいずれか２つ）に関して、ラジオボタン１１０、１１２の押下により、設定の変更が自在である。
【０１０７】
次いで、作業者は、印刷された指定色調整用カラーチャート３４ｃのうちカラーパッチ３６を１個選択する（ステップＳ６２３）。具体的には、カラーチップや、表示装置２４の画面上に表示された色等である目標となる指定色を表す色見本と、指定色調整用カラーチャート３４ｃとを比較観察し、指定色に最も近い色であるカラーパッチ３６を１個選択する。
【０１０８】
このように構成しているので、作業者が指定色調整用カラーチャート３４ｃを観察する際にカラーパッチ３６の色の変化が略等間隔で視認されるため、指定色に最も近い色であるカラーパッチ３６を容易に選択できる。とりわけ、指定色がガマット２００外の色又はガマット２００内の境界近傍の色である場合、カラーパッチ３６の選択作業に時間を掛けることがなくなる。
【０１０９】
ところで、指定色と略同色であるカラーパッチ３６が、指定色調整用カラーチャート３４ｃの提示領域内に存在しない場合は、カラーパッチ３６の色の配列傾向を考慮して、前記提示領域外に向かう８方向（上下左右、斜め４５度）のうちのどの方向に指定色が存在するかを推定する。
【０１１０】
次いで、作業者は、選択したカラーパッチ３６の識別情報を入力する（ステップＳ６２４）。具体的には、作業者は、図４に示す設定画面１００において、選択されたカラーパッチ３６の配置位置に対応した行番号３８、列番号４０が表す数値（図２Ａ参照）に基づいて、数字列１０４を参照しながら、その数値と一致する位置におけるラジオボタン１０２（図４参照）のうちの１個を押下する。また、カラーパッチ３６の提示領域内に指定色が存在しないものと予想される場合は、均等色空間上の８方向のうちいずれか１方向を示す矢印１０６を選択し、その矢印１０６の先端部のラジオボタン１０８を押下する。
【０１１１】
これらのラジオボタンは排他的なスイッチであるので、４９個のラジオボタン１０２、８個のラジオボタン１０８、合計５７個のうちのいずれか１個が押下される。この構成により、指定色と略同色が存在するか否かについての判断結果と、指定色が存在するときの選択されたカラーパッチ３６の識別情報（ここでは、選択番号）を同時に入力できる。
【０１１２】
ここで、矢印１０６の付近に提示領域外における色の変化の傾向を矢印１０６と併せて表示させることにより、均等色空間の座標定義（Ｌ*ａ*ｂ*値と色との対応関係）を知らない作業者であっても容易に指定色を選択できる。
【０１１３】
次いで、作業者は、選択された１個のカラーパッチ３６によって指定色と略同色を再現できたか否かを判断する（ステップＳ６２５）。その結果、略同色でなく更に選択の余地があるものと判断した場合は、作業者は［次の印刷］ボタン１１８を押下する。すると、画像処理装置１６の内部処理によって次の基準色及び色差間隔が自動的に設定される（ステップＳ６２６〜Ｓ６２８）。
【０１１４】
指定色調整用カラーチャート３４ｃの提示領域内に最も近い色（指定色と略同色）が存在する場合（ステップＳ６２７）における、次の基準色及び提示領域の設定について、図１１Ａ及び図１１Ｂを参照しながら説明する。
【０１１５】
例えば、基準色が（Ｌ*＝５０．０，ａ*＝−１０．０，ｂ*＝１０．０）、色差間隔が（Δａ*＝４．０、Δｂ*＝４．０）に設定された指定色調整用カラーチャート３４ｃを目視した結果、行番号３８が（−１）であり、列番号４０が（−２）であるカラーパッチ３６が選択されたとする。
【０１１６】
このとき、図１１Ａに示すように、基準色２０４を中心とした略正方形状の提示領域２０８が形成され、その提示領域２０８の内側（基準色２０４の左下方）に選択色２１０が存在する。
【０１１７】
色調整作業を継続する場合は、（Ｌ*＝５０．０，ａ*＝−１８．０，ｂ*＝６．０）である選択色２１０が、次の基準色２１２として設定される。また、色差間隔がさらに小さく（例えば、１／２になるように）、すなわち、Δａ*＝２．０、Δｂ*＝２．０が次の色差間隔として設定される。すると、次の提示領域２１４は、前回の提示領域２０８と比較してその面積が１／４に設定される。
【０１１８】
このように、色の検索範囲を更に絞り込むことで色の分解能を向上させることができ、精度良く且つ効率良く指定色の調整が可能になる。
【０１１９】
指定色調整用カラーチャート３４ｃの提示領域内に最も近い色（指定色と略同色）が存在しない場合（ステップＳ６２８）における、次の基準色及び提示領域の設定について、図１２Ａ及び図１２Ｂを参照しながら説明する。
【０１２０】
例えば、基準色が（Ｌ*＝５０．０，ａ*＝−１０．０，ｂ*＝１０．０）、色差間隔が（Δａ*＝４．０、Δｂ*＝４．０）に設定された指定色調整用カラーチャート３４ｃを目視した結果、いずれのカラーパッチ３６も選択できず、更に左方向（ａ*の負方向）に存在すると予想されたものとする。
【０１２１】
このとき、図１２Ａに示すように、基準色２０４を中心とした略正方形状の提示領域２０８が形成され、その提示領域２０８の外側（基準色２０４の左方）に指定色の推定位置２１６が存在する。
【０１２２】
色調整作業を継続する場合は、基準色２０４に対し、ラジオボタン１０８で選択された方向（ａ*の負方向）に所定の値（仮に１０とする）だけ移動させた色（Ｌ*＝５０．０，ａ*＝−２０．０，ｂ*＝１０．０）が、次の基準色２１２として設定される。また、前回と同じ値であるΔａ*＝４．０、Δｂ*＝４．０が次の色差間隔として設定される。すると、次の提示領域２１４は、前回の提示領域２０８と比較して同じ面積に設定される。
【０１２３】
なお、ガマット２００外の色のように色再現できない領域や、ガマット２００近傍の色のように非線形性が強く色再現精度が低下する領域にある色のカラーパッチ３６を印刷する際に、作業者への注意喚起という観点で、そのカラーパッチ３６に識別印を付すことが好ましい。識別印を付すことには、カラーパッチ３６の周辺にマークを付するのみならず、カラーパッチ３６自体を変形させることも含まれる。
【０１２４】
例えば、図１２Ｂに示すように、（１）〜（３）式に基づいて算出された色（Ｌ*，ａ*，ｂ*）がガマット２００外（ガマット外領域２１８）の色である場合は、その色に対応するカラーパッチ３６の画素値を置き換え、黒色パッチ４４を印刷させることが好ましい（図２Ｂ参照）。そうすれば、作業者は、黒色パッチ４４は選択候補から除外されている旨を知ることができる。
【０１２５】
また、図１２Ｂに示すように、ガマット２００内の色であるが、ガマット２００境界の近傍色である場合は、その色に対応するカラーパッチ３６の外周に太線の枠を付し、太枠パッチ４６を印刷させることが好ましい（図２Ｂ参照）。そうすれば、作業者は、指定色がガマット２００の境界近傍であることを意識しながら色調整を行うことができる。
【０１２６】
さらに、ガマット２００の属否を明確にするため、図２Ｂに示す黒色パッチ４４と太枠パッチ４６のように、異なる形態で表示されることがさらに好ましい。
【０１２７】
さらにまた、識別印を付する手段は図２Ｂの例に限られない。例えば、黒色パッチ４４を白色（無印字）にしてもよいし、カラーパッチ３６の周辺に所定の識別印（○×等）を付してもよいことはいうまでもない。
【０１２８】
さらに、表示装置２４を介してその旨を警告することができる。さらにまた、設定画面１００（図４参照）上において、黒色パッチ４４に対応するラジオボタン１０２をパッシブ表示にして、黒色パッチ４４の選択を制限してもよい。残りの選択可能（アクティブ表示）であるラジオボタン１０２の中から、すなわち、ガマット２００内の色の中から適切な色を選択できる。
【０１２９】
さらに、図１２Ｂでは、次の提示領域２１４の一部がガマット２００内からはみ出しているが、このはみ出しを回避するように次の提示領域２１４を設けてもよい。
【０１３０】
図１３は、指定色調整用カラーチャート３４ｃの次の提示領域２２０を表す説明図である。図１２Ｂと比較して、次の基準色２１２の位置は同一であるが、次の提示領域２１４、２２０の形状が異なっている。具体的には、Ｌ*軸を回転軸として所定の角度を回転し、一辺の長さ（色差間隔）が小さく設定されている。
【０１３１】
このように設定されているので、すべてのカラーパッチ３６の色がガマット２００の範囲内に収まる。そうすれば、一回の画像評価（図５のステップＳ４参照）につき、選択可能なカラーパッチ３６の数が増加するので効率的である。なお、色差間隔のみならず次の基準色２１２を適切に再設定することにより、同様の効果が得られる。
【０１３２】
さらに、ＣＩＥ等で規定された均等色空間の歪み、すなわち、色の数値と視覚の感度特性との対応関係のずれを考慮して、視覚の感度特性に一層近づけるように、基準色（Ｌ*，ａ*，ｂ*）に応じて色差間隔（ΔＬ*，Δａ*，Δｂ*）を設定することができる。つまり、視覚の感度特性が高い領域では色差間隔が相対的に小さくなるように、視覚の感度特性が低い領域では色差間隔を相対的に大きくなるように設定することが好ましい。
【０１３３】
このように、再設定された次の基準色２１２及び色差間隔に基づいて指定色調整用カラーチャート３４ｃが印刷される。なお、指定色の調整（ステップＳ６２）の途中で［中止］ボタン１２２を押下するとこの作業は中止される。
【０１３４】
以上のようにして、指定色調整用カラーチャート３４ｃ上において指定色と同色が再現されるまでこの作業を繰り返し、［確定］ボタン１２０を押下すると、プロファイルが変更され（ステップＳ６２９）、指定色の調整作業は終了する。
【０１３５】
なお、この発明は、上述した実施形態に限定されるものではなく、以下に示す（１）〜（６）のように、この発明の主旨を逸脱しない範囲で自由に変更できることは勿論である。
【０１３６】
（１）本実施形態では、カラーチャート条件（基準色又は色差間隔）はカラーチャート条件設定部８４により自動的に設定される構成を採っているが、作業者又は作業依頼者の色選択の嗜好を考慮した仕様変更も可能である。
【０１３７】
具体的には、表示欄１１４、１１６にテキストボックス等を設け、初期状態では、カラーチャート条件設定部８４により設定された推奨値をそのテキストボックスに表示しておくが、作業者がキーボード２８等を用いてその値を変更し設定できるようにしてもよい。また、カラーパッチ３６の個数を自由に変更できるように構成してもよい。
【０１３８】
（２）本実施形態では、指定色調整用カラーチャート３４ｃ上の各カラーパッチ３６の形状は矩形であるがこれに限定されることはなく、例えば、三角形、六角形、円形等でもよい。
【０１３９】
また、カラーパッチ３６の配列方法についても、その識別情報との対応関係が明確である限り、種々の配列形態を採ることができる。例えば、カラーパッチ３６が正六角形である場合は、ハニカム構造に配列することにより、色の配列方法を工夫することができる。
【０１４０】
（３）本実施形態では、指定色調整用カラーチャート３４ｃ上に付された行番号３８及び列番号４０（図２Ａ参照）を識別情報として、設定画面１００（図４参照）を介して入力する構成を採っているが、識別情報の入力方法はこれらに限定されない。例えば、隣接するカラーパッチ３６の中間的な色をカラーホイール等のＧＵＩにより入力してもよいし、選択されたカラーパッチ３６の色に対応する色見本番号や測色値等を直接入力してもよい。
【０１４１】
（４）前述した均等色空間の歪みに関して、例えば、（ａ）高彩度色は彩度方向の変化に対する感度が低く、（ｂ）緑色の領域は色相の変化に対する感度が低く、（ｃ）高明度色又は低明度色は明度の変化に対する感度が低く、（ｄ）青色の領域は彩度方向の変化に対する感度が低い等の傾向を考慮して、色差間隔を設定することができる。
【０１４２】
（５）印刷機１８によって指定色を再現できない場合、又は再現が困難な場合は、ガマット２００外の色である指定色をガマット２００内の色に代替する必要がある。この場合、種々のガマットマッピング・アルゴリズムに基づいてプロファイルを変更することができる。例えば、両者の色の明度差（あるいは彩度差）を許容範囲内に抑えながら、色差が最小になるようにガマット２００の境界線に近い色を選択すると好ましい。
【０１４３】
（６）本実施形態では、印刷機１８がインクジェット方式である構成を採っているがこれに限定されることなく、電子写真、感熱方式等であっても本発明の作用効果を得ることができる。また、出力形態はハードコピーに限定されず、ソフトコピー、すなわち、画像表示装置（あるいは種々の表示方式）にも本発明が適用できることはいうまでもない。
【符号の説明】
【０１４４】
１０…印刷システム                        １４…編集装置
１６…画像処理装置                        １８…印刷機
２０…測色計                              ２２…本体
２４…表示装置                            ２６…入力装置
３２…メディア                            ３４…印刷物
３４ｃ…指定色調整用カラーチャート        ３６…カラーパッチ
３８…行番号                              ４０…列番号
４２…印刷情報                            ４４…黒色パッチ
５０、５８、６４、６６、６８…Ｉ／Ｆ      ５２…ＲＩＰ
５４…色変換処理部                        ５６…印刷機ドライバ
６０…色管理部                            ６２…画像データ生成部
７０…記憶部                              ７２…目標プロファイル処理部
７４…印刷プロファイル処理部              ７６…指定色調整用データ生成部
８０…プロファイル生成部                  ８２…指定色管理部
８４…カラーチャート条件設定部            ８６…色ずれ補正部
１００…設定画面
１０２、１０８、１１０、１１２…ラジオボタン
１１４、１１６…表示欄                    １１８、１２０、１２２…ボタン
２００…ガマット
２０１、２０６、２０８…提示領域          ２０２、２０４…基準色
２１０…選択色                            ２１２…次の基準色
２１４、２２０…次の提示領域              ２１６…推定位置
２１８…ガマット外領域
【図１】
2011061519.tif 000003
【図２】
2011061519.tif 000004
【図３】
2011061519.tif 000005
【図４】
2011061519.tif 000006
【図５】
2011061519.tif 000007
【図６】
2011061519.tif 000008
【図７】
2011061519.tif 000009
【図８】
2011061519.tif 000010
【図９】
2011061519.tif 000011
【図１０】
2011061519.tif 000012
【図１１】
2011061519.tif 000013
【図１２】
2011061519.tif 000014
【図１３】
2011061519.tif 000015